(57)【要約】【課題】おしぼりを使用者に有料で販売可能な有料おしぼり製造装置を提供する。【解決手段】コイン投入口６０１に投入されたコインをコインセンサ６０３が検出し、検出信号を制御部１５に送る。その後、制御部１５からの指令に基づき、シート材供給部４と巻回機構部５が作動し、シート材２ａが素材収納部１ａから排出口１ｃまで移送される。移送途中、ノズル９Ａから水を噴射してシート材２ａに水分を含ませる。しかも、シート材供給部４によるシート材２ａの供給中止状態で巻回機構部５だけを作動させ、シート材２ａを１枚分のおしぼりに切断する。その後、巻回機構部５によりおしぼりをロール状に巻き取り、排出口１ｃから排出する。その結果、巻きおしぼりを使用者に有料で販売できる。【選択図】　　　　図１
2004129863.tif 000002
【特許請求の範囲】
【請求項１】
長尺なシート状のおしぼり素材を収納する素材収納部、および、該おしぼり素材から作成されたおしぼりを排出する排出口を有するハウジングと、
該ハウジングに収納され、駆動源により前記素材収納部から排出口までおしぼり素材を移送する移送手段と、
移送中のおしぼり素材を１枚分のおしぼりの寸法に切断する切断手段と、
移送中のおしぼり素材または切断後のおしぼりに水分を含ませる加湿手段と、
加湿後のおしぼりをロール状に巻き取る巻き取り手段と、
前記移送手段、切断手段、加湿手段および巻き取り手段を制御する制御部と、
前記ハウジングに設けられ、前記おしぼりの料金分の貨幣や貨幣等価値品が投入される料金投入部と、
該料金投入部に投入された貨幣や貨幣等価値品を検出し、その検知信号を前記制御部に送る検出手段とを備えた有料おしぼり製造装置。
【請求項２】
前記おしぼり素材には、移送方向に向かって先細り化したミシン目が、おしぼり１枚分の長さごとに形成された請求項１に記載の有料おしぼり製造装置。
【請求項３】
前記ハウジングには、前記移送中のおしぼり素材または切断後のおしぼりに除菌液を含ませるとともに、前記料金投入部に投入された貨幣や貨幣等価値品に除菌液を付着させる除菌液供給手段が設けられた請求項１または請求項２に記載の有料おしぼり製造装置。
【発明の詳細な説明】
【０００１】
【産業上の利用分野】
この発明は有料おしぼり製造装置に係り、詳しくは、料金を投入するとロール状に巻き取られたおしぼりが排出される有料おしぼり製造装置に関する。
【０００２】
【従来技術】
ロール状に巻かれた業務用のおしぼり（巻きおしぼり）は、飲食店の他、パチンコ店やゲームセンターなどの娯楽施設などで無料で提供されている。
従来のおしぼりは、（１）　布タオルを洗濯した後に殺菌処理し、それをプラスチックフィルムにより包装したもの、（２）　紙や不織布に水を含ませ、それをプラスチックフィルムにより包装したものなどが知られている。
【０００３】
【発明が解決しようとする課題】
しかしながら、従来のおしぼり製造装置では、使用者に無料で提供する方式を採用していた。そのため、おしぼりを例えば清涼飲料水用の自動販売機のような装置を使用し、有料で販売することはできなかった。
【０００４】
【発明の目的】
この発明は、おしぼりを使用者に有料で販売することができる有料おしぼり製造装置を提供することを、その目的としている。
また、この発明は、ロール状のおしぼりを広げ易くすることができる有料おしぼり製造装置を提供することを、その目的としている。
さらに、この発明は、おしぼりに除菌効果を付加させることができるとともに、料金投入部に投入された貨幣や貨幣等価値品を除菌することができる有料おしぼり製造装置を提供することを、その目的としている。
【０００５】
【課題を解決する手段】
請求項１に記載の発明は、長尺なシート状のおしぼり素材を収納する素材収納部、および、該おしぼり素材から作成されたおしぼりを排出する排出口を有するハウジングと、該ハウジングに収納され、駆動源により前記素材収納部から排出口までおしぼり素材を移送する移送手段と、移送中のおしぼり素材を１枚分のおしぼりの寸法に切断する切断手段と、移送中のおしぼり素材または切断後のおしぼりに水分を含ませる加湿手段と、加湿後のおしぼりをロール状に巻き取る巻き取り手段と、前記移送手段、切断手段、加湿手段および巻き取り手段を制御する制御部と、前記ハウジングに設けられ、前記おしぼりの料金分の貨幣や貨幣等価値品が投入される料金投入部と、該料金投入部に投入された貨幣や貨幣等価値品を検出し、その検知信号を前記制御部に送る検出手段とを備えた有料おしぼり製造装置である。
【０００６】
ハウジングの素材、大きさ、形状などは限定されない。
おしぼり素材としては、例えば織布、不織布、編布などの布帛のほか紙などを採用することができる。要は、適宜の水分を付加しておしぼりとして使用できるものであればよい。
素材収納部に収納されるおしぼり素材は、ロール状に巻き取られたシートでもよいし、綴れ織り状に折り畳まれたシートでもよい。
おしぼり素材は、１枚分のおしぼりに切断し易いように、所定長さごとにミシン目を入れてもよい。ミシン目の入れ方は限定されない。直線でもよいし、任意形状に屈曲した線または湾曲した線でもよい。
駆動源の種類は限定されない。例えば、電動モータなどを採用することができる。
ハウジングに印刷手段を設け、おしぼり素材または切断されたおしぼりに、例えば店の名前、模様などのデザインを印刷してもよい。
加湿手段には水を貯留する水タンクを有している場合、有料おしぼり製造装置を持ち運ぶ際の重量バランスがとれるように、ハウジング内における水タンクと料金投入部の料金収納ボックスとの配置を、重量バランスを考慮して配置すれば、有料おしぼり製造装置の運搬時の安定性が高まる。
【０００７】
移送手段によるおしぼり素材の移送方式は限定されない。例えば、対配置されたローラの間でおしぼり素材の端部を挟持し、駆動源によりローラを回転しておしぼり素材を移送するローラ式でもよい。
加湿手段の加湿方式は限定されない。スプレーによる吹き付け、刷毛による塗布でもよい。さらには、おしぼり素材または切断後の単体のおしぼりを水中に浸漬してもよい。過剰な水分（液分）は、例えば絞りローラ間を通過させて絞り取ってもよい。
ここでいう水とは、単なる水だけではなく、水の中に芳香剤、殺菌剤、滅菌剤、抗菌剤、洗剤、その他の添加物を添加した水溶液を含む。また、有料おしぼり製造装置に冷水手段を搭載し、冷たいおしぼりを供給できるようにしてもよい。また、温水手段を搭載し、熱いおしぼりを供給してもよい。
【０００８】
おしぼりの巻き取り方式は限定されない。例えば、巻き取りローラによる巻き取り、巻き取りコンベアをおしぼりの移送方向とは反対方向に回転させて巻き取る方法などを採用することができる。
さらに、製造されたおしぼりを、プラスチックフィルムなどで包装してもよい。
料金投入部に投入される紙幣は限定されない。例えば１円玉、５円玉、１０円玉、５０円玉、１００円玉、５００円玉などの硬貨が挙げられる。また、千円札、２千円札、５千円札、１万円札といった紙幣でもよい。さらには、パチンコの玉、スロットマシンのコイン、ゲームセンター用のコインやチップといった貨幣等価値品などが挙げられる。その他、プリペイドカード、クレジットカード、ＩＣカード、電子マネーなどを採用することができる。
また、料金投入部は、複数種の貨幣等価値品の併用が可能なように、複数種の投入口（コイン用，パチンコ玉用，カード用など）を設けてもよい。
料金投入部は、ハウジングの内部に設けてもよい。また、ハウジングの外に設けてもよい。
また、ハウジングの露出面に液晶ディスプレイなどの表示部を取り付け、おしぼりを画像表示することができる。また、液晶ディスプレイをタッチパネル式とすれば、画面に触れることで、おしぼりの製造個数を入力したり、おしぼりの製造を開始させることができる。
料金投入部には、釣り銭の返却手段を搭載することができる。
検出手段としては、例えばリミットスイッチ、形状センサ、重量センサなどを採用することができる。
おしぼりは、投入された料金に応じて製造される。例えば、１枚ずつ製造してもよい。また、複数枚を１セットとして製造してもよい。
【０００９】
請求項２に記載の発明は、前記おしぼり素材には、移送方向に向かって先細り化したミシン目が、おしぼり１枚分の長さごとに形成された請求項１に記載の有料おしぼり製造装置である。
ミシン目の入れ方は、移送方向に向かって先細り化していれば限定されない。例えば先端が尖ったへの字形状、先端が平坦な略への字形状、または、斜めに切断しただけのカッタナイフの刃先形状などを採用することができる。
【００１０】
請求項３に記載の発明は、前記ハウジングには、前記移送中のおしぼり素材または切断後のおしぼりに除菌液を含ませるとともに、前記料金投入部に投入された貨幣や貨幣等価値品に除菌液を付着させる除菌液供給手段が設けられた請求項１または請求項２に記載の有料おしぼり製造装置である。
除菌液の種類は限定されない。例えば各種のアルコールなどを採用することができる。
除菌液供給手段によって、加湿手段によりおしぼり素材または切断後のおしぼりに供給される水に、除菌液を混入してもよい。また、加湿手段とは別に、おしぼり素材または切断後のおしぼりに、直接、除菌液を供給してもよい。
除菌液のおしぼり素材または単体のおしぼりへの供給方式と、除菌液の貨幣や貨幣等価値品への供給方式とは限定されない。例えば吹き付け、刷毛による塗り付けなどを採用することができる。さらには、おしぼり素材または単体のおしぼりを水中に浸漬してもよい。
【００１１】
【作用】
この発明によれば、料金投入部に所定の貨幣や貨幣等価値品が投入されると、それを検出手段が検出し、検出信号を制御部に送る。次に、制御部からの指令に基づき、移送手段によりおしぼり素材を素材収納部から排出口まで移送する。その移送途中、おしぼり素材を切断手段により１枚分のおしぼりに切断する。しかも、加湿手段によりおしぼり素材または切断後のおしぼりに水分を含ませる。その後、巻き取り手段によっておしぼりをロール状に巻き取り、作製されたおしぼりを排出口から排出する。これにより、ロール状のおしぼりを使用者に有料で提供することができる。
【００１２】
特に、請求項２に記載の発明によれば、おしぼり素材には、移送方向に向かって先細り化したミシン目をおしぼり１枚分の長さごとに形成したので、ロール状のおしぼりを広げて使用する際、加湿により張り付いたおしぼりの先端を摘み易い。
【００１３】
また、請求項３に記載の発明によれば、移送中のおしぼり素材または切断後のおしぼりに除菌液供給手段から除菌液を供給し、おしぼりに除菌効果を付加することができる。
しかも、料金投入部に投入された貨幣や貨幣等価値品に対しても除菌液供給手段から除菌液を供給するので、料金投入部に投入された貨幣や貨幣等価値品を除菌することができる。これにより、料金の回収者は、常に清潔な貨幣や貨幣等価値品を取り扱うことができる。
【００１４】
【発明の実施の形態】
以下、この発明の一実施例を図面により説明する。説明の都合上、図１および図２の左側が装置の前方（正面）側である。
図１および図２において、Ａはこの発明の一実施例に係る有料おしぼり製造装置で、この有料おしぼり製造装置Ａは、前面および上面に開口部をそれぞれ有する略直方体のハウジング１を本体としている。ハウジング１の前側上部内には、おしぼり用のシート材（おしぼり素材）２ａを巻回したロール２を収納する素材収納部１ａが、略円弧形状を有する隔壁３により画成されている。この素材収納部１ａに、ロール２が着脱可能に装着されている。ハウジング１の前下部には、前面の開口部を開閉する前蓋１ｂが軸支されている。前蓋１ｂの前面の中央部には、購入店のロゴが表示されるロゴ表示部１ｈを有している。前蓋１ｂの下部には、おしぼりが排出される排出口１ｃが形成されている。この排出口１ｃを開閉自在に塞ぎ、排出されたおしぼりを受ける受け皿１０が前蓋１ｂの下部に軸支されている。前蓋１ｂの上部には、おしぼりを１枚だけ排出させる１枚用スイッチ１ｄと、５枚排出させる５枚用スイッチ１ｅと、おしぼりの製造を中止する中止用スイッチ１ｆとが配設されている。
【００１５】
また、ハウジング１の上側後部には、ハウジング１の上側の開口部を開閉する上蓋１ｇが軸支されている。ハウジング１の一側面の略中央部には、メインスイッチ１３と湯沸かし器スイッチ１４とが並設されている。
さらに、ハウジング１の一側面の前部には、おしぼりの料金分のコインが投入される料金投入部Ｂを有している。料金投入部Ｂの本体となるケースＢ１には、その前板の上端部にコイン投入口６０１が形成されている。料金投入部Ｂの上部内には、コイン投入口６０１から投入されたコインの落下流路となる金網製の傾斜通路６０２が収納されている。傾斜通路６０２の上流部には、投入されたコインの大きさから金額を検出するコインセンサ６０３が装着されている。また、ケースＢ１の上部内には、傾斜通路６０２の途中の両側方にそれぞれ配置され、通過中のコインの両面に向かって後述するアルコール（除菌液）を吹き付ける一対のノズル９Ｃ，９Ｃが配設されている。
【００１６】
シート材２ａは、例えばレーヨン１００％で、厚さ０．３５〜０．４ｍｍの不織布である。シート材２ａには、移送方向に向かって先細り化したミシン目Ｌが、おしぼり１枚分の長さごとに形成されている（図３）。また、シール材２ａには、購入店の店名（ロゴ）などを印刷してもよい。ロール２の外周に沿うように設けられた隔壁３の前方下端には、ロール２から繰り出されるシート材２ａを送り出すシート材供給部（移送手段）４が設けられている。また、その下方には、シート材供給部４から送り出されたシート材２ａを巻回する巻回機構部（巻き取り手段）５が設けられている。この巻回機構部５は、移送中のシート材２ａを１枚分のおしぼりの寸法に切断する切断手段を兼務している。
【００１７】
ハウジング１内の後方上部には、水タンク６Ａおよびアルコールタンク６Ｂが着脱自在に装着されている。水タンク６Ａおよびアルコールタンク６Ｂは、装着により底部が開口して水を供給可能に構成されている。また、水タンク６Ａの下方には、湯沸かし器７とポンプ８Ａ，８Ｂ，８Ｃとが配設されている。一方、巻回機構部５の上部には、ノズル９Ａおよびノズル９Ｂが配設されている。水タンク６Ａの水は、湯沸かし器７を経由してポンプ８Ａによりノズル９Ａに供給される。アルコールタンク６Ｂのアルコールは、ポンプ８Ｂによりノズル９Ｂに供給されるとともに、ポンプ８Ｃにより前記ノズル９Ｃ，９Ｃに供給される。このうち、ポンプ８Ｂ，８Ｃおよびノズル９Ｂ，９Ｃ，９Ｃが、移送中のおしぼりにアルコールを噴射するとともに、コイン投入口６０１に投入されたコインにアルコールを噴射する除菌液供給手段を構成している。
湯沸かし器７は、湯沸かし器スイッチ１４の操作によって任意に運転される。水（または湯）の供給によりノズル９Ａから散水され、これによって、巻回機構部５に引き込まれるシート材２ａが濡らされる。すなわち、前記水タンク６Ａ、湯沸かし器７、ポンプ８Ａおよびノズル９Ａは、シート材２ａに水分を含ませる加湿手段を構成している。巻回機構部５によって製造されたおしぼりは、受け皿１０に排出される。また、ハウジング１の前側下部に配置された水受け皿１１は、巻回機構部５から垂れ落ちる水滴を集めて、受け皿１０に排水する。
【００１８】
次に、シート材供給部４および巻回機構部５について詳細に説明する。
図４〜図６に示すように、シート材供給部４はモータ部４１と、供給ローラ部４２と、従動ローラ部４３とを有している。
モータ部４１は、モータ（駆動源）４０１と、このモータ４０１によって時計回り方向に回転駆動される歯車４０２とを備えている。一方、供給ローラ部４２は、供給ガイド４０３と、この供給ガイド４０３から外周の一部が突出して配置され、ハウジング１側の固定部（図示せず）に回転自在に軸支された供給ローラ４０４と、この供給ローラ４０４と同軸に設けられた歯車４０５とを備えている。この歯車４０５は歯車４０２と歯合して、動力伝達される。
供給ローラ４０４は、外周面が摩擦抵抗の大きいゴムにより形成された大径部４０４ａと、図示しない小径部とが軸方向に交互に設けられたロール体であり、その大径部４０４ａの外周の一部が、供給ガイド４０３から突出している（図５）。
一方、供給ガイド４０３の下端部４０３ａは供給ローラ４０４より下方に張り出して櫛歯状に並んでおり、図４に示すように、従動ローラ部４３側にやや接近するように傾斜している。これらの下端部４０３ａは、シート材２ａの供給ローラへの巻き付きを防ぎ、シート材２ａを一定の方向に送り出す作用を有する。
【００１９】
また、従動ローラ部４３は、ピン４０９を中心に回動自在な前方ガイド４０６と、これによって回転自在に軸支された従動ローラ４０７と、前方ガイド４０６に取り付けられたばね４０８とを備えている。ばね４０８は、左端部がハウジング１側に係止され、他端部が前方ガイド４０６に係止されている。このばね４０８によって、前方ガイド４０６は、ピン４０９を中心に時計回り方向に付勢されている。これにより、従動ローラ４０７が所定の力で供給ローラ４０４に押し付けられる。前方ガイド４０６の上端部４０６ａは左方に湾曲している。ここをばね４０８に抗して押し開くように操作すれば、両ローラ（４０４，４０７）間に隙間を空けてロール２から繰り出したシート材２ａの先端部を入れることができる。従動ローラ４０７は、シート材２ａの送り出し方向が安定するように、供給ローラ４０４よりも硬質のゴムまたはプラスチックを材料とする。
【００２０】
図２，図７〜図９に示すように、前記巻回機構部５は、モータ部５１と、巻回機構５２とを有している。モータ部５１は、モータ５０１と、このモータ５０１によって反時計回り方向に回転駆動される歯車５０２とを備えている。
一方、巻回機構５２は、軸方向両端に円盤状の鍔部５０３ａが形成された巻回ローラ５０３と、巻回ローラ５０３と同軸に設けられた歯車５０４と、軸方向両端に円盤状の鍔部５０５ａが形成された従動ローラ５０５と、巻回ローラ５０３および従動ローラ５０５に張架されたコンベアベルト５０６と、巻回ローラ５０３側のコンベアベルト５０６の外周側に沿って設けられた固定ベルト５０７と、固定ベルト５０７の上端部を固定するとともに、シート材２ａを導入するガイドとなる上部ガイド板５０８と、固定ベルト５０７の他端部を固定するとともに、コンベアベルト５０６との間に、おしぼりが排出される排出用隙間ａを形成する下部ガイド板５０９とを備えている。
前記歯車５０４は、モータ部５１の歯車５０２と歯合して、動力伝達される。リミットスイッチ５１０は、固定ベルト５０７の外面に沿って配置されている。なお、固定ベルト５０７の内面には小さな凹凸部５０７ａが所定の幅で連続的に形成されており、シート材２ａとの摩擦抵抗を高めている（図７）。
【００２１】
コンベアベルト５０６は、外面に摩擦力を大きくする突起部５０６ａが一定間隔で設けられている。また、内面には、凹凸５０６ｂが連続的に形成されている。巻回ローラ５０３のベルト張架面（鍔部５０３ａを除く外周面）には凹凸５０３ｂが形成されている（図７）。この凹凸５０３ｂは、コンベアベルト５０６の内面の凹凸５０６ｂと歯合して、巻回ローラ５０３からコンベアベルト５０６に確実に動力が伝達される。これにより、コンベアベルト５０６には常に張力が一定となっている。
【００２２】
次に、図１０のブロック図を参照して、有料おしぼり製造装置Ａの制御回路を説明する。ハウジング１の側板の内面に固着された制御部１５の入力側には、１枚用スチッチ１ｄ、５枚用スイッチ１ｅ、中止用スイッチ１ｆ、メインスイッチ１３、湯沸かし器スイッチ１４、リミットスイッチ５１０、コインセンサ６０３が接続されている。一方、制御部１５の出力側には、湯沸かし器７、ポンプ８Ａ，８Ｂ，８Ｃ、モータ４０１，５０１が接続されている。
制御装置１５は、１枚用スチッチ１ｄ、５枚用スイッチ１ｅ、中止用スイッチ１ｆ、メインスイッチ１３、湯沸かし器スイッチ１４、リミットスイッチ５１０およびコインセンサ６０３の入力に基づき、湯沸かし器７、ポンプ８Ａ，８Ｂ，８Ｃおよびモータ４０１，５０１を制御する。
【００２３】
次に、図１〜図１５を参照して有料おしぼり製造装置Ａの動作を説明する。
あらかじめ、水タンク６Ａとアルコールタンク６Ｂとを装着し、ロール２を装着してその巻き端を供給ローラ４０４と従動ローラ４０７との間に挟み込む。その後、メインスイッチ１３を入れる。必要に応じて湯沸かし器スイッチ１４を入れると、湯沸かし器７が水温を所定温度に上昇させる。
その後、購入者がコイン投入口６０１に所定金額分のコインを投入すると、コインセンサ６０３がその金額を検出し、その検出信号を制御部１５に送る。コインは、その後、金網製の傾斜通路６０２を転がり落ちるが、その途中で傾斜通路６０２の両側方に配置されたノズル９Ｃ，９Ｃから、コインの両面に対してアルコールが吹き付けられる。次いで、投入額がおしぼり１枚分のとき、購入者は１枚用スイッチ１ｄを押す。また、おしぼり５枚分のとき、５枚用スイッチ１ｅを押す。これにより、モータ４０１，５０１およびポンプ８Ａ，８Ｂ，８Ｃが作動する。
【００２４】
すなわち、図１１に示すように、モータ４０１により供給ローラ４０４が反時計回り方向に回転し、従動ローラ４０７を時計回り方向に回転させながらシート材２ａを送り出す。一方、モータ５０１により巻回ローラ５０３が時計回り方向に回転し、これに伴ってコンベアベルト５０６が周転する。これにより、シート材２ａはコンベアベルト５０６に引き込まれ、ノズル９Ａから噴射される水（又は湯）およびノズル９Ｂから噴射されるアルコールにより濡らされる。
シート材２ａは、コンベアベルト５０６上を移送される。その後、固定ベルト５０７の内面の凹凸部５０７ａに接触し、図１２に示すように巻き取りが開始される。このとき、シート材供給部４によるシート材２ａの送り出し速度と、巻回機構部５によるシート材２ａの引き込み速度とは同じである。
【００２５】
巻き取られたシート材２ａの先端部が巻回ローラ５０３の外周上に達すると、図１３に示すように、巻回されたシート材２ａによって外方に突出した固定ベルト５０７により、リミットスイッチ５１０が入る。リミットスイッチ５１０の動作信号を受けた制御部１５は、モータ４０１を停止させる。これにより、供給ローラ４０４の回転が停止する。したがって、送り動作が停止したシート材２ａは、巻回ローラ５０３によって引っ張られ、張力が高まる。その結果、図１４に示すように、ミシン目Ｌの部分でシート材２ａが切断される。この場合、シート材２ａが濡れていることにより、乾いている状態よりも切断が容易になる。この切断時、シート材２ａの巻き端は巻回ローラ５０３上に乗り上げ、コンベアベルト５０６と固定ベルト５０７との間に保持される。
その後、切断された方のシート材２ａは、さらに巻き取られながらコンベアベルト５０６により下流に移送され、最終的に排出用隙間ａから落下する（図１５）。排出されたおしぼりは、排出口１ｃを通して受け皿１０の上に落下する。制御部１５は、リミットスイッチ５１０の動作から所定時間後に、モータ５０１の運転を停止し、巻回ローラ５０３の回転が止まる。製造の途中でおしぼりの製造を中止したい場合には、中止用スイッチ１ｆを押す。
【００２６】
このように、シート材２ａを移送するシート材供給部４と、シート材２ａに水分を含ませる加湿手段と、シート材２ａをおしぼり１枚分の寸法に切断するとともに、おしぼりをロール状に巻き取る巻回機構部５と、制御部１５と、コインが投入される料金投入部Ｂと、投入されたコインの金額を検出するコインセンサ６０３とを備えたので、ロール状に巻き取られたおしぼりを使用者に有料で提供することができる。
また、シート材２ａには、移送方向に向かって先細り化したミシン目Ｌをおしぼり１枚分の長さごとに入れているので、おしぼりを広げて使用する際、加湿により張り付いた巻きおしぼりの先端を摘み易い。
さらに、移送中のシート材２ａにノズル９Ｂからアルコールを噴射するので、おしぼりに除菌効果を付加することができる。しかも、コイン投入口６０１に投入されたコインに対してもノズル９Ｃ，９Ｃからアルコールを噴射するので、コイン投入口６０１に投入されたコインを除菌することができる。これにより、コイン回収者は、常に清潔なコインを取り扱うことができる。
【００２７】
【発明の効果】
この発明は、駆動源により素材収納部から排出口までおしぼり素材を移送する移送手段と、そのおしぼり素材を切断する切断手段と、おしぼり素材または切断後のおしぼりに水分を含ませる加湿手段と、加湿後のおしぼりをロール状に巻き取る巻き取り手段と、これらの制御部と、おしぼりの料金分の貨幣や貨幣等価値品が投入される料金投入部と、料金投入部に投入された貨幣や貨幣等価値品を検出する検出手段とを備えたので、ロール状に巻き取られたおしぼりを使用者に有料で提供することができる。
【００２８】
特に、請求項２に記載の発明によれば、おしぼり素材には、移送方向に向かって先細り化したミシン目をおしぼり１枚分の長さごとに形成したので、ロール状のおしぼりを広げ易くすることができる。
【００２９】
また、請求項３に記載の発明によれば、移送中のおしぼり素材または切断後のおしぼりに除菌液供給手段から除菌液を供給し、おしぼりに除菌効果を付加することができる。しかも、料金投入部に投入された貨幣や貨幣等価値品に対しても除菌液供給手段から除菌液を供給するので、料金投入部に投入された貨幣や貨幣等価値品を除菌することができる。これにより、料金の回収者は、常に清潔な貨幣や貨幣等価値品を取り扱うことができる。
【図面の簡単な説明】
【図１】この発明の一実施例に係る有料おしぼり製造装置の斜視図である。
【図２】この発明の一実施例に係る有料おしぼり製造装置の縦断面図である。
【図３】この発明の一実施例に係る有料おしぼり製造装置に使用されるおしぼり素材を示す拡大斜視図である。
【図４】この発明の一実施例に係る有料おしぼり製造装置に使用されるシート材供給部の要部拡大側面図である。
【図５】この発明の一実施例に係る有料おしぼり製造装置に使用されるシート材供給部の要部拡大斜視図である。
【図６】この発明の一実施例に係る有料おしぼり製造装置に使用されるシート材供給部の別の要部拡大斜視図である。
【図７】この発明の一実施例に係る有料おしぼり製造装置に使用される巻回機構部の拡大側面図である。
【図８】この発明の一実施例に係る有料おしぼり製造装置に使用される巻回機構部のベルトコンベア部分の拡大側面図である。
【図９】（ａ）は、この巻回機構部における巻回ローラの正面図である。
（ｂ）は、図９（ａ）のＢ−Ｂ端面図である。
【図１０】この発明の一実施例に係る有料おしぼり製造装置の制御回路を示すブロック図である。
【図１１】この発明の一実施例に係る有料おしぼり製造装置におけるシート材の供給開始直後の状態を示す概略側面図である。
【図１２】この発明の一実施例に係る有料おしぼり製造装置におけるシート材の巻回開始状態を示す概略側面図である。
【図１３】この発明の一実施例に係る有料おしぼり製造装置におけるシート材の巻き端が巻回ローラ上に乗り上げた状態を示す概略側面図である。
【図１４】この発明の一実施例に係る有料おしぼり製造装置におけるシート材の切断状態を示す概略側面図である。
【図１５】この発明の一実施例に係る有料おしぼり製造装置における巻き取ったおしぼりを排出する直前の状態を示す概略側面図である。
【符号の説明】
１　ハウジング、
１ａ　素材収納部、
１ｃ　排出口、
２ａ　シート材（おしぼり素材）、
４　シート材供給部（移送手段）、
５　巻回機構部（巻き取り手段／切断手段）、
６Ａ　水タンク（加湿手段）、
７　湯沸かし器（加湿手段）、
８Ａ　ポンプ（加湿手段）、
８Ｂ，８Ｃ　ポンプ（除菌液供給手段）、
９Ａ　ノズル（加湿手段）、
９Ｂ，９Ｃ，９Ｃ　ノズル（除菌液供給手段）、
１５　制御部、
４０１　モータ（駆動源）、
６０３　コインセンサ（検出手段）、
Ａ　有料おしぼり製造装置、
Ｂ　料金投入部、
Ｌ　ミシン目。
【図１】
2004129863.tif 000003
【図２】
2004129863.tif 000004
【図３】
2004129863.tif 000005
【図４】
2004129863.tif 000006
【図５】
2004129863.tif 000007
【図６】
2004129863.tif 000008
【図７】
2004129863.tif 000009
【図８】
2004129863.tif 000010
【図９】
2004129863.tif 000011
【図１０】
2004129863.tif 000012
【図１１】
2004129863.tif 000013
【図１２】
2004129863.tif 000014
【図１３】
2004129863.tif 000015
【図１４】
2004129863.tif 000016
【図１５】
2004129863.tif 000017
【手続補正書】
【提出日】平成15年11月18日(2003.11.18)
【手続補正１】
【補正対象書類名】明細書
【補正対象項目名】全文
【補正方法】変更
【補正の内容】
【特許請求の範囲】
【請求項１】長尺なシート状のおしぼり素材を収納する素材収納部、および、該おしぼり素材から作成されたおしぼりを排出する排出口を有するハウジングと、
該ハウジングに収納され、駆動源により前記素材収納部から排出口までおしぼり素材を移送する移送手段と、
移送中のおしぼり素材を１枚分のおしぼりの寸法に切断する切断手段と、
移送中のおしぼり素材または切断後のおしぼりに水分を含ませる加湿手段と、
加湿後のおしぼりをロール状に巻き取る巻き取り手段と、
前記移送手段、切断手段、加湿手段および巻き取り手段を制御する制御部と、
前記ハウジングに設けられ、前記おしぼりの料金分の貨幣や貨幣等価値品が投入される料金投入部と、
該料金投入部に投入された貨幣や貨幣等価値品を検出し、その検知信号を前記制御部に送る検出手段と、
　前記ハウジングに設けられ、前記移送中のおしぼり素材または切断後のおしぼりに除菌液を含ませるとともに、前記料金投入部に投入された貨幣や貨幣等価値品に除菌液を付着させる除菌液供給手段とを備えた有料おしぼり製造装置。
【請求項２】前記おしぼり素材には、移送方向に向かって先細り化したミシン目が、おしぼり１枚分の長さごとに形成された請求項１に記載の有料おしぼり製造装置。
【発明の詳細な説明】
【０００１】
【産業上の利用分野】
この発明は有料おしぼり製造装置に係り、詳しくは、料金を投入するとロール状に巻き取られたおしぼりが排出される有料おしぼり製造装置に関する。
【０００２】
【従来技術】
ロール状に巻かれた業務用のおしぼり（巻きおしぼり）は、飲食店の他、パチンコ店やゲームセンターなどの娯楽施設などで無料で提供されている。
従来のおしぼりは、（１）　布タオルを洗濯した後に殺菌処理し、それをプラスチックフィルムにより包装したもの、（２）　紙や不織布に水を含ませ、それをプラスチックフィルムにより包装したものなどが知られている。
【０００３】
【発明が解決しようとする課題】
しかしながら、従来のおしぼり製造装置では、使用者に無料で提供する方式を採用していた。そのため、おしぼりを例えば清涼飲料水用の自動販売機のような装置を使用し、有料で販売することはできなかった。
【０００４】
【発明の目的】
この発明は、おしぼりを使用者に有料で販売することができる有料おしぼり製造装置を提供することを、その目的としている。
また、この発明は、ロール状のおしぼりを広げ易くすることができる有料おしぼり製造装置を提供することを、その目的としている。
さらに、この発明は、おしぼりに除菌効果を付加させることができるとともに、料金投入部に投入された貨幣や貨幣等価値品を除菌することができる有料おしぼり製造装置を提供することを、その目的としている。
【０００５】
【課題を解決する手段】
請求項１に記載の発明は、長尺なシート状のおしぼり素材を収納する素材収納部、および、該おしぼり素材から作成されたおしぼりを排出する排出口を有するハウジングと、該ハウジングに収納され、駆動源により前記素材収納部から排出口までおしぼり素材を移送する移送手段と、移送中のおしぼり素材を１枚分のおしぼりの寸法に切断する切断手段と、移送中のおしぼり素材または切断後のおしぼりに水分を含ませる加湿手段と、加湿後のおしぼりをロール状に巻き取る巻き取り手段と、前記移送手段、切断手段、加湿手段および巻き取り手段を制御する制御部と、前記ハウジングに設けられ、前記おしぼりの料金分の貨幣や貨幣等価値品が投入される料金投入部と、該料金投入部に投入された貨幣や貨幣等価値品を検出し、その検知信号を前記制御部に送る検出手段と、前記ハウジングに設けられ、前記移送中のおしぼり素材または切断後のおしぼりに除菌液を含ませるとともに、前記料金投入部に投入された貨幣や貨幣等価値品に除菌液を付着させる除菌液供給手段とを備えた有料おしぼり製造装置である。
【０００６】
ハウジングの素材、大きさ、形状などは限定されない。
おしぼり素材としては、例えば織布、不織布、編布などの布帛のほか紙などを採用することができる。要は、適宜の水分を付加しておしぼりとして使用できるものであればよい。
素材収納部に収納されるおしぼり素材は、ロール状に巻き取られたシートでもよいし、綴れ織り状に折り畳まれたシートでもよい。
おしぼり素材は、１枚分のおしぼりに切断し易いように、所定長さごとにミシン目を入れてもよい。ミシン目の入れ方は限定されない。直線でもよいし、任意形状に屈曲した線または湾曲した線でもよい。
駆動源の種類は限定されない。例えば、電動モータなどを採用することができる。
ハウジングに印刷手段を設け、おしぼり素材または切断されたおしぼりに、例えば店の名前、模様などのデザインを印刷してもよい。
加湿手段には水を貯留する水タンクを有している場合、有料おしぼり製造装置を持ち運ぶ際の重量バランスがとれるように、ハウジング内における水タンクと料金投入部の料金収納ボックスとの配置を、重量バランスを考慮して配置すれば、有料おしぼり製造装置の運搬時の安定性が高まる。
【０００７】
移送手段によるおしぼり素材の移送方式は限定されない。例えば、対配置されたローラの間でおしぼり素材の端部を挟持し、駆動源によりローラを回転しておしぼり素材を移送するローラ式でもよい。
加湿手段の加湿方式は限定されない。スプレーによる吹き付け、刷毛による塗布でもよい。さらには、おしぼり素材または切断後の単体のおしぼりを水中に浸漬してもよい。過剰な水分（液分）は、例えば絞りローラ間を通過させて絞り取ってもよい。
ここでいう水とは、単なる水だけではなく、水の中に芳香剤、殺菌剤、滅菌剤、抗菌剤、洗剤、その他の添加物を添加した水溶液を含む。また、有料おしぼり製造装置に冷水手段を搭載し、冷たいおしぼりを供給できるようにしてもよい。また、温水手段を搭載し、熱いおしぼりを供給してもよい。
【０００８】
おしぼりの巻き取り方式は限定されない。例えば、巻き取りローラによる巻き取り、巻き取りコンベアをおしぼりの移送方向とは反対方向に回転させて巻き取る方法などを採用することができる。
さらに、製造されたおしぼりを、プラスチックフィルムなどで包装してもよい。
料金投入部に投入される貨幣は限定されない。例えば１円玉、５円玉、１０円玉、５０円玉、１００円玉、５００円玉などの硬貨が挙げられる。また、千円札、２千円札、５千円札、１万円札といった紙幣でもよい。さらには、パチンコの玉、スロットマシンのコイン、ゲームセンター用のコインやチップといった貨幣等価値品などが挙げられる。その他、プリペイドカード、クレジットカード、ＩＣカード、電子マネーなどを採用することができる。
また、料金投入部は、複数種の貨幣等価値品の併用が可能なように、複数種の投入口（コイン用，パチンコ玉用，カード用など）を設けてもよい。
料金投入部は、ハウジングの内部に設けてもよい。また、ハウジングの外に設けてもよい。
また、ハウジングの露出面に液晶ディスプレイなどの表示部を取り付け、おしぼりを画像表示することができる。また、液晶ディスプレイをタッチパネル式とすれば、画面に触れることで、おしぼりの製造個数を入力したり、おしぼりの製造を開始させることができる。
料金投入部には、釣り銭の返却手段を搭載することができる。
検出手段としては、例えばリミットスイッチ、形状センサ、重量センサなどを採用することができる。
おしぼりは、投入された料金に応じて製造される。例えば、１枚ずつ製造してもよい。また、複数枚を１セットとして製造してもよい。
【０００９】
請求項２に記載の発明は、前記おしぼり素材には、移送方向に向かって先細り化したミシン目が、おしぼり１枚分の長さごとに形成された請求項１に記載の有料おしぼり製造装置である。
ミシン目の入れ方は、移送方向に向かって先細り化していれば限定されない。例えば先端が尖ったへの字形状、先端が平坦な略への字形状、または、斜めに切断しただけのカッタナイフの刃先形状などを採用することができる。
【００１０】
また、上記除菌液の種類は限定されない。例えば各種のアルコールなどを採用することができる。
除菌液供給手段によって、加湿手段によりおしぼり素材または切断後のおしぼりに供給される水に、除菌液を混入してもよい。また、加湿手段とは別に、おしぼり素材または切断後のおしぼりに、直接、除菌液を供給してもよい。
除菌液のおしぼり素材または単体のおしぼりへの供給方式と、除菌液の貨幣や貨幣等価値品への供給方式とは限定されない。例えば吹き付け、刷毛による塗り付けなどを採用することができる。さらには、おしぼり素材または単体のおしぼりを水中に浸漬してもよい。
【００１１】
【作用】
この発明によれば、料金投入部に所定の貨幣や貨幣等価値品が投入されると、それを検出手段が検出し、検出信号を制御部に送る。次に、制御部からの指令に基づき、移送手段によりおしぼり素材を素材収納部から排出口まで移送する。その移送途中、おしぼり素材を切断手段により１枚分のおしぼりに切断する。しかも、加湿手段によりおしぼり素材または切断後のおしぼりに水分を含ませる。その後、巻き取り手段によっておしぼりをロール状に巻き取り、作製されたおしぼりを排出口から排出する。これにより、ロール状のおしぼりを使用者に有料で提供することができる。
【００１２】
特に、請求項２に記載の発明によれば、おしぼり素材には、移送方向に向かって先細り化したミシン目をおしぼり１枚分の長さごとに形成したので、ロール状のおしぼりを広げて使用する際、加湿により張り付いたおしぼりの先端を摘み易い。
【００１３】
また、上記発明にあって、移送中のおしぼり素材または切断後のおしぼりに除菌液供給手段から除菌液を供給し、おしぼりに除菌効果を付加することができる。
しかも、料金投入部に投入された貨幣や貨幣等価値品に対しても除菌液供給手段から除菌液を供給するので、料金投入部に投入された貨幣や貨幣等価値品を除菌することができる。これにより、料金の回収者は、常に清潔な貨幣や貨幣等価値品を取り扱うことができる。
【００１４】
【発明の実施の形態】
以下、この発明の一実施例を図面により説明する。説明の都合上、図１および図２の左側が装置の前方（正面）側である。
図１および図２において、Ａはこの発明の一実施例に係る有料おしぼり製造装置で、この有料おしぼり製造装置Ａは、前面および上面に開口部をそれぞれ有する略直方体のハウジング１を本体としている。ハウジング１の前側上部内には、おしぼり用のシート材（おしぼり素材）２ａを巻回したロール２を収納する素材収納部１ａが、略円弧形状を有する隔壁３により画成されている。この素材収納部１ａに、ロール２が着脱可能に装着されている。ハウジング１の前下部には、前面の開口部を開閉する前蓋１ｂが軸支されている。前蓋１ｂの前面の中央部には、購入店のロゴが表示されるロゴ表示部１ｈを有している。前蓋１ｂの下部には、おしぼりが排出される排出口１ｃが形成されている。この排出口１ｃを開閉自在に塞ぎ、排出されたおしぼりを受ける受け皿１０が前蓋１ｂの下部に軸支されている。前蓋１ｂの上部には、おしぼりを１枚だけ排出させる１枚用スイッチ１ｄと、５枚排出させる５枚用スイッチ１ｅと、おしぼりの製造を中止する中止用スイッチ１ｆとが配設されている。
【００１５】
また、ハウジング１の上側後部には、ハウジング１の上側の開口部を開閉する上蓋１ｇが軸支されている。ハウジング１の一側面の略中央部には、メインスイッチ１３と湯沸かし器スイッチ１４とが並設されている。
さらに、ハウジング１の一側面の前部には、おしぼりの料金分のコインが投入される料金投入部Ｂを有している。料金投入部Ｂの本体となるケースＢ１には、その前板の上端部にコイン投入口６０１が形成されている。料金投入部Ｂの上部内には、コイン投入口６０１から投入されたコインの落下流路となる金網製の傾斜通路６０２が収納されている。傾斜通路６０２の上流部には、投入されたコインの大きさから金額を検出するコインセンサ６０３が装着されている。また、ケースＢ１の上部内には、傾斜通路６０２の途中の両側方にそれぞれ配置され、通過中のコインの両面に向かって後述するアルコール（除菌液）を吹き付ける一対のノズル９Ｃ，９Ｃが配設されている。
【００１６】
シート材２ａは、例えばレーヨン１００％で、厚さ０．３５〜０．４ｍｍの不織布である。シート材２ａには、移送方向に向かって先細り化したミシン目Ｌが、おしぼり１枚分の長さごとに形成されている（図３）。また、シール材２ａには、購入店の店名（ロゴ）などを印刷してもよい。ロール２の外周に沿うように設けられた隔壁３の前方下端には、ロール２から繰り出されるシート材２ａを送り出すシート材供給部（移送手段）４が設けられている。また、その下方には、シート材供給部４から送り出されたシート材２ａを巻回する巻回機構部（巻き取り手段）５が設けられている。この巻回機構部５は、移送中のシート材２ａを１枚分のおしぼりの寸法に切断する切断手段を兼務している。
【００１７】
ハウジング１内の後方上部には、水タンク６Ａおよびアルコールタンク６Ｂが着脱自在に装着されている。水タンク６Ａおよびアルコールタンク６Ｂは、装着により底部が開口して水を供給可能に構成されている。また、水タンク６Ａの下方には、湯沸かし器７とポンプ８Ａ，８Ｂ，８Ｃとが配設されている。一方、巻回機構部５の上部には、ノズル９Ａおよびノズル９Ｂが配設されている。水タンク６Ａの水は、湯沸かし器７を経由してポンプ８Ａによりノズル９Ａに供給される。アルコールタンク６Ｂのアルコールは、ポンプ８Ｂによりノズル９Ｂに供給されるとともに、ポンプ８Ｃにより前記ノズル９Ｃ，９Ｃに供給される。このうち、ポンプ８Ｂ，８Ｃおよびノズル９Ｂ，９Ｃ，９Ｃが、移送中のおしぼりにアルコールを噴射するとともに、コイン投入口６０１に投入されたコインにアルコールを噴射する除菌液供給手段を構成している。
湯沸かし器７は、湯沸かし器スイッチ１４の操作によって任意に運転される。水（または湯）の供給によりノズル９Ａから散水され、これによって、巻回機構部５に引き込まれるシート材２ａが濡らされる。すなわち、前記水タンク６Ａ、湯沸かし器７、ポンプ８Ａおよびノズル９Ａは、シート材２ａに水分を含ませる加湿手段を構成している。巻回機構部５によって製造されたおしぼりは、受け皿１０に排出される。また、ハウジング１の前側下部に配置された水受け皿１１は、巻回機構部５から垂れ落ちる水滴を集めて、受け皿１０に排水する。
【００１８】
次に、シート材供給部４および巻回機構部５について詳細に説明する。
図４〜図６に示すように、シート材供給部４はモータ部４１と、供給ローラ部４２と、従動ローラ部４３とを有している。
モータ部４１は、モータ（駆動源）４０１と、このモータ４０１によって時計回り方向に回転駆動される歯車４０２とを備えている。一方、供給ローラ部４２は、供給ガイド４０３と、この供給ガイド４０３から外周の一部が突出して配置され、ハウジング１側の固定部（図示せず）に回転自在に軸支された供給ローラ４０４と、この供給ローラ４０４と同軸に設けられた歯車４０５とを備えている。この歯車４０５は歯車４０２と歯合して、動力伝達される。
供給ローラ４０４は、外周面が摩擦抵抗の大きいゴムにより形成された大径部４０４ａと、図示しない小径部とが軸方向に交互に設けられたロール体であり、その大径部４０４ａの外周の一部が、供給ガイド４０３から突出している（図５）。
一方、供給ガイド４０３の下端部４０３ａは供給ローラ４０４より下方に張り出して櫛歯状に並んでおり、図４に示すように、従動ローラ部４３側にやや接近するように傾斜している。これらの下端部４０３ａは、シート材２ａの供給ローラへの巻き付きを防ぎ、シート材２ａを一定の方向に送り出す作用を有する。
【００１９】
また、従動ローラ部４３は、ピン４０９を中心に回動自在な前方ガイド４０６と、これによって回転自在に軸支された従動ローラ４０７と、前方ガイド４０６に取り付けられたばね４０８とを備えている。ばね４０８は、左端部がハウジング１側に係止され、他端部が前方ガイド４０６に係止されている。このばね４０８によって、前方ガイド４０６は、ピン４０９を中心に時計回り方向に付勢されている。これにより、従動ローラ４０７が所定の力で供給ローラ４０４に押し付けられる。前方ガイド４０６の上端部４０６ａは左方に湾曲している。ここをばね４０８に抗して押し開くように操作すれば、両ローラ（４０４，４０７）間に隙間を空けてロール２から繰り出したシート材２ａの先端部を入れることができる。従動ローラ４０７は、シート材２ａの送り出し方向が安定するように、供給ローラ４０４よりも硬質のゴムまたはプラスチックを材料とする。
【００２０】
図２，図７〜図９に示すように、前記巻回機構部５は、モータ部５１と、巻回機構５２とを有している。モータ部５１は、モータ５０１と、このモータ５０１によって反時計回り方向に回転駆動される歯車５０２とを備えている。
一方、巻回機構５２は、軸方向両端に円盤状の鍔部５０３ａが形成された巻回ローラ５０３と、巻回ローラ５０３と同軸に設けられた歯車５０４と、軸方向両端に円盤状の鍔部５０５ａが形成された従動ローラ５０５と、巻回ローラ５０３および従動ローラ５０５に張架されたコンベアベルト５０６と、巻回ローラ５０３側のコンベアベルト５０６の外周側に沿って設けられた固定ベルト５０７と、固定ベルト５０７の上端部を固定するとともに、シート材２ａを導入するガイドとなる上部ガイド板５０８と、固定ベルト５０７の他端部を固定するとともに、コンベアベルト５０６との間に、おしぼりが排出される排出用隙間ａを形成する下部ガイド板５０９とを備えている。
前記歯車５０４は、モータ部５１の歯車５０２と歯合して、動力伝達される。リミットスイッチ５１０は、固定ベルト５０７の外面に沿って配置されている。なお、固定ベルト５０７の内面には小さな凹凸部５０７ａが所定の幅で連続的に形成されており、シート材２ａとの摩擦抵抗を高めている（図７）。
【００２１】
コンベアベルト５０６は、外面に摩擦力を大きくする突起部５０６ａが一定間隔で設けられている。また、内面には、凹凸５０６ｂが連続的に形成されている。巻回ローラ５０３のベルト張架面（鍔部５０３ａを除く外周面）には凹凸５０３ｂが形成されている（図７）。この凹凸５０３ｂは、コンベアベルト５０６の内面の凹凸５０６ｂと歯合して、巻回ローラ５０３からコンベアベルト５０６に確実に動力が伝達される。これにより、コンベアベルト５０６には常に張力が一定となっている。
【００２２】
次に、図１０のブロック図を参照して、有料おしぼり製造装置Ａの制御回路を説明する。ハウジング１の側板の内面に固着された制御部１５の入力側には、１枚用スチッチ１ｄ、５枚用スイッチ１ｅ、中止用スイッチ１ｆ、メインスイッチ１３、湯沸かし器スイッチ１４、リミットスイッチ５１０、コインセンサ６０３が接続されている。一方、制御部１５の出力側には、湯沸かし器７、ポンプ８Ａ，８Ｂ，８Ｃ、モータ４０１，５０１が接続されている。
制御装置１５は、１枚用スチッチ１ｄ、５枚用スイッチ１ｅ、中止用スイッチ１ｆ、メインスイッチ１３、湯沸かし器スイッチ１４、リミットスイッチ５１０およびコインセンサ６０３の入力に基づき、湯沸かし器７、ポンプ８Ａ，８Ｂ，８Ｃおよびモータ４０１，５０１を制御する。
【００２３】
次に、図１〜図１５を参照して有料おしぼり製造装置Ａの動作を説明する。
あらかじめ、水タンク６Ａとアルコールタンク６Ｂとを装着し、ロール２を装着してその巻き端を供給ローラ４０４と従動ローラ４０７との間に挟み込む。その後、メインスイッチ１３を入れる。必要に応じて湯沸かし器スイッチ１４を入れると、湯沸かし器７が水温を所定温度に上昇させる。
その後、購入者がコイン投入口６０１に所定金額分のコインを投入すると、コインセンサ６０３がその金額を検出し、その検出信号を制御部１５に送る。コインは、その後、金網製の傾斜通路６０２を転がり落ちるが、その途中で傾斜通路６０２の両側方に配置されたノズル９Ｃ，９Ｃから、コインの両面に対してアルコールが吹き付けられる。次いで、投入額がおしぼり１枚分のとき、購入者は１枚用スイッチ１ｄを押す。また、おしぼり５枚分のとき、５枚用スイッチ１ｅを押す。これにより、モータ４０１，５０１およびポンプ８Ａ，８Ｂ，８Ｃが作動する。
【００２４】
すなわち、図１１に示すように、モータ４０１により供給ローラ４０４が反時計回り方向に回転し、従動ローラ４０７を時計回り方向に回転させながらシート材２ａを送り出す。一方、モータ５０１により巻回ローラ５０３が時計回り方向に回転し、これに伴ってコンベアベルト５０６が周転する。これにより、シート材２ａはコンベアベルト５０６に引き込まれ、ノズル９Ａから噴射される水（又は湯）およびノズル９Ｂから噴射されるアルコールにより濡らされる。
シート材２ａは、コンベアベルト５０６上を移送される。その後、固定ベルト５０７の内面の凹凸部５０７ａに接触し、図１２に示すように巻き取りが開始される。このとき、シート材供給部４によるシート材２ａの送り出し速度と、巻回機構部５によるシート材２ａの引き込み速度とは同じである。
【００２５】
巻き取られたシート材２ａの先端部が巻回ローラ５０３の外周上に達すると、図１３に示すように、巻回されたシート材２ａによって外方に突出した固定ベルト５０７により、リミットスイッチ５１０が入る。リミットスイッチ５１０の動作信号を受けた制御部１５は、モータ４０１を停止させる。これにより、供給ローラ４０４の回転が停止する。したがって、送り動作が停止したシート材２ａは、巻回ローラ５０３によって引っ張られ、張力が高まる。その結果、図１４に示すように、ミシン目Ｌの部分でシート材２ａが切断される。この場合、シート材２ａが濡れていることにより、乾いている状態よりも切断が容易になる。この切断時、シート材２ａの巻き端は巻回ローラ５０３上に乗り上げ、コンベアベルト５０６と固定ベルト５０７との間に保持される。
その後、切断された方のシート材２ａは、さらに巻き取られながらコンベアベルト５０６により下流に移送され、最終的に排出用隙間ａから落下する（図１５）。排出されたおしぼりは、排出口１ｃを通して受け皿１０の上に落下する。制御部１５は、リミットスイッチ５１０の動作から所定時間後に、モータ５０１の運転を停止し、巻回ローラ５０３の回転が止まる。製造の途中でおしぼりの製造を中止したい場合には、中止用スイッチ１ｆを押す。
【００２６】
このように、シート材２ａを移送するシート材供給部４と、シート材２ａに水分を含ませる加湿手段と、シート材２ａをおしぼり１枚分の寸法に切断するとともに、おしぼりをロール状に巻き取る巻回機構部５と、制御部１５と、コインが投入される料金投入部Ｂと、投入されたコインの金額を検出するコインセンサ６０３とを備えたので、ロール状に巻き取られたおしぼりを使用者に有料で提供することができる。
また、シート材２ａには、移送方向に向かって先細り化したミシン目Ｌをおしぼり１枚分の長さごとに入れているので、おしぼりを広げて使用する際、加湿により張り付いた巻きおしぼりの先端を摘み易い。
さらに、移送中のシート材２ａにノズル９Ｂからアルコールを噴射するので、おしぼりに除菌効果を付加することができる。しかも、コイン投入口６０１に投入されたコインに対してもノズル９Ｃ，９Ｃからアルコールを噴射するので、コイン投入口６０１に投入されたコインを除菌することができる。これにより、コイン回収者は、常に清潔なコインを取り扱うことができる。
【００２７】
【発明の効果】
この発明は、駆動源により素材収納部から排出口までおしぼり素材を移送する移送手段と、そのおしぼり素材を切断する切断手段と、おしぼり素材または切断後のおしぼりに水分を含ませる加湿手段と、加湿後のおしぼりをロール状に巻き取る巻き取り手段と、これらの制御部と、おしぼりの料金分の貨幣や貨幣等価値品が投入される料金投入部と、料金投入部に投入された貨幣や貨幣等価値品を検出する検出手段とを備えたので、ロール状に巻き取られたおしぼりを使用者に有料で提供することができる。
【００２８】
特に、請求項２に記載の発明によれば、おしぼり素材には、移送方向に向かって先細り化したミシン目をおしぼり１枚分の長さごとに形成したので、ロール状のおしぼりを広げ易くすることができる。
【００２９】
また、上記発明によれば、移送中のおしぼり素材または切断後のおしぼりに除菌液供給手段から除菌液を供給し、おしぼりに除菌効果を付加することができる。しかも、料金投入部に投入された貨幣や貨幣等価値品に対しても除菌液供給手段から除菌液を供給するので、料金投入部に投入された貨幣や貨幣等価値品を除菌することができる。これにより、料金の回収者は、常に清潔な貨幣や貨幣等価値品を取り扱うことができる。
【図面の簡単な説明】
【図１】この発明の一実施例に係る有料おしぼり製造装置の斜視図である。
【図２】この発明の一実施例に係る有料おしぼり製造装置の縦断面図である。
【図３】この発明の一実施例に係る有料おしぼり製造装置に使用されるおしぼり素材を示す拡大斜視図である。
【図４】この発明の一実施例に係る有料おしぼり製造装置に使用されるシート材供給部の要部拡大側面図である。
【図５】この発明の一実施例に係る有料おしぼり製造装置に使用されるシート材供給部の要部拡大斜視図である。
【図６】この発明の一実施例に係る有料おしぼり製造装置に使用されるシート材供給部の別の要部拡大斜視図である。
【図７】この発明の一実施例に係る有料おしぼり製造装置に使用される巻回機構部の拡大側面図である。
【図８】この発明の一実施例に係る有料おしぼり製造装置に使用される巻回機構部のベルトコンベア部分の拡大側面図である。
【図９】（ａ）は、この巻回機構部における巻回ローラの正面図である。
（ｂ）は、図９（ａ）のＢ−Ｂ端面図である。
【図１０】この発明の一実施例に係る有料おしぼり製造装置の制御回路を示すブロック図である。
【図１１】この発明の一実施例に係る有料おしぼり製造装置におけるシート材の供給開始直後の状態を示す概略側面図である。
【図１２】この発明の一実施例に係る有料おしぼり製造装置におけるシート材の巻回開始状態を示す概略側面図である。
【図１３】この発明の一実施例に係る有料おしぼり製造装置におけるシート材の巻き端が巻回ローラ上に乗り上げた状態を示す概略側面図である。
【図１４】この発明の一実施例に係る有料おしぼり製造装置におけるシート材の切断状態を示す概略側面図である。
【図１５】この発明の一実施例に係る有料おしぼり製造装置における巻き取ったおしぼりを排出する直前の状態を示す概略側面図である。
【符号の説明】
１　ハウジング、
１ａ　素材収納部、
１ｃ　排出口、
２ａ　シート材（おしぼり素材）、
４　シート材供給部（移送手段）、
５　巻回機構部（巻き取り手段／切断手段）、
６Ａ　水タンク（加湿手段）、
７　湯沸かし器（加湿手段）、
８Ａ　ポンプ（加湿手段）、
８Ｂ，８Ｃ　ポンプ（除菌液供給手段）、
９Ａ　ノズル（加湿手段）、
９Ｂ，９Ｃ，９Ｃ　ノズル（除菌液供給手段）、
１５　制御部、
４０１　モータ（駆動源）、
６０３　コインセンサ（検出手段）、
Ａ　有料おしぼり製造装置、
Ｂ　料金投入部、
Ｌ　ミシン目。